(57)【特許請求の範囲】
【請求項１】
加入者端末装置側からセンタ装置への上り信号を電気信号で受け光信号に変換して出力する電気／光変換回路と、
電気信号の前記上り信号を検出する信号検出回路と、
前記電気／光変換回路から出力される光信号のレベルを予め定められた基準レベルと比較するレベル比較回路と、
前記信号検出回路からの検出信号と、前記レベル比較回路からの比較結果信号とを入力し、前記検出信号及び前記比較結果信号の両者の値の組み合せの時間推移から、予め定められた故障状態に該当するものであるか否かを判定する判定回路と、
前記判定回路での故障の判定結果に応答して、前記電気／光変換回路の電源経路に挿入された電源スイッチを固定的に遮断状態とし、前記電気／光変換回路への電源供給を停止する電源制御回路と、
を備え、
前記判定回路は、前記信号検出回路からの検出信号の、前記上り信号の検出状態を示す値から前記上り信号の非検出状態を示す値への遷移に対して、前記遷移から予め定められた所定時間、前記レベル比較回路からの比較結果信号が、前記電気／光変換回路からの光信号のレベルが前記基準レベルよりも高いことを示す値をとることが、予め定められた所定回数、連続して検出された場合、前記電気／光変換回路の連続発光故障と判定する、ことを特徴とする光回線終端装置。
【請求項２】
加入者端末装置側からセンタ装置への上り信号を電気信号で受け光信号に変換して出力する電気／光変換回路と、
電気信号の前記上り信号を検出する信号検出回路と、
前記電気／光変換回路から出力される光信号のレベルを予め定められた基準レベルと比較するレベル比較回路と、
前記信号検出回路からの検出信号と、前記レベル比較回路からの比較結果信号とを入力し、前記検出信号及び前記比較結果信号の両者の値の組み合せの時間推移から、予め定められた故障状態に該当するものであるか否かを判定する判定回路と、
前記判定回路での故障の判定結果に応答して、前記電気／光変換回路の電源経路に挿入された電源スイッチを固定的に遮断状態とし、前記電気／光変換回路への電源供給を停止する電源制御回路と、
を備え、
前記判定回路は、前記信号検出回路からの検出信号の、前記上り信号の非検出状態を示す値から、前記上り信号の検出状態を示す値への遷移に対して、前記遷移から予め定められた所定時間、前記レベル比較回路からの比較結果信号が、前記電気／光変換回路からの光信号のレベルが前記基準レベルよりも低いことを示す値をとることが、予め定められた所定回数、連続して検出された場合、前記電気／光変換回路の発光レベル低下故障と判定する、ことを特徴とする光回線終端装置。
【請求項３】
加入者端末装置側からセンタ装置への上り信号を電気信号で受け光信号に変換して出力する電気／光変換回路と、
電気信号の前記上り信号を検出する信号検出回路と、
前記電気／光変換回路から出力される光信号のレベルを予め定められた基準レベルと比較するレベル比較回路と、
前記信号検出回路からの検出信号と、前記レベル比較回路からの比較結果信号とを入力し、前記検出信号及び前記比較結果信号の両者の値の組み合せの時間推移から、予め定められた故障状態に該当するものであるか否かを判定する判定回路と、
前記判定回路での故障の判定結果に応答して、前記電気／光変換回路の電源経路に挿入された電源スイッチを固定的に遮断状態とし、前記電気／光変換回路への電源供給を停止する電源制御回路と、
を備え、
前記判定回路は、前記信号検出回路からの検出信号が前記上り信号の非検出状態を示す値から前記上り信号の検出状態を示す値へ遷移したのち、前記検出信号が前記上り信号の検出状態を示す値をとり、且つ、前記レベル比較回路からの比較結果信号が、前記電気／光変換回路からの光信号のレベルが前記基準レベルよりも高いことを示す値をとる状態が、予め定められた所定時間、連続している場合、前記加入者端末装置の連続発振故障と判定する、ことを特徴とする光回線終端装置。
【請求項４】
前記故障状態に対応して表示する少なくとも１つの表示回路を備え、
前記判定回路は、前記故障状態と判定したとき、対応する前記表示回路に表示させる、ことを特徴とする請求項１乃至３のいずれか１項に記載の光回線終端装置。
【請求項５】
前記判定回路での故障の判定結果を受け、前記電源制御回路は、電気信号の前記上り信号を増幅して前記電気／光変換回路に供給する第１の増幅回路、及び／又は、前記センタ装置から前記加入者端末装置への下り光信号を光／電気変換回路で電気信号に変換した信号を増幅する第２の増幅回路の電源供給を停止する、ことを特徴とする請求項１乃至４のいずれか１項に記載の光回線終端装置。
【請求項６】
請求項１乃至５のいずれか１項に記載の前記光回線終端装置と、
前記光回線終端装置と光信号伝送手段を介して接続されるセンタ装置、及び／又は、前記光回線終端装置に電気伝送手段で接続する加入者端末装置を備えた伝送システム。
【請求項７】
加入者端末装置側からセンタ装置への上り信号を電気信号で受ける光回線終端装置が、
電気信号の前記上り信号を光信号に変換して出力する電気／光変換回路から出力される光信号のレベルを、レベル比較回路で予め定められた基準レベルと比較し、
電気信号の前記上り信号を検出する信号検出回路での検出信号と、前記レベル比較回路からの比較結果信号の両者の値の組み合せの時間推移から、予め定められた故障状態に該当するものであるか否かを判定し、
前記故障状態を検出すると、前記電気／光変換回路の電源経路に挿入された電源スイッチを固定的に遮断状態とし、前記電気／光変換回路への電源供給を停止し、
前記光回線終端装置は、
前記信号検出回路からの検出信号の、前記上り信号の検出状態を示す値から前記上り信号の非検出状態を示す値への遷移に対して、前記遷移から予め定められた所定時間、前記レベル比較回路からの比較結果信号が、前記電気／光変換回路からの光信号のレベルが前記基準レベルよりも高いことを示す値をとることが、予め定められた所定回数、連続して検出された場合、前記電気／光変換回路の連続発光故障と判定し、前記電気／光変換回路への電源供給を固定的に停止させる、ことを特徴とする、光回線終端装置の制御方法。
【請求項８】
加入者端末装置側からセンタ装置への上り信号を電気信号で受ける光回線終端装置が、
電気信号の前記上り信号を光信号に変換して出力する電気／光変換回路から出力される光信号のレベルを、レベル比較回路で予め定められた基準レベルと比較し、
電気信号の前記上り信号を検出する信号検出回路での検出信号と、前記レベル比較回路からの比較結果信号の両者の値の組み合せの時間推移から、予め定められた故障状態に該当するものであるか否かを判定し、
前記故障状態を検出すると、前記電気／光変換回路の電源経路に挿入された電源スイッチを固定的に遮断状態とし、前記電気／光変換回路への電源供給を停止し、
前記光回線終端装置は、
前記信号検出回路からの検出信号の、前記上り信号の非検出状態を示す値から、前記上り信号の検出状態を示す値への遷移に対して、前記遷移から予め定められた所定時間、前記レベル比較回路からの比較結果信号が、前記電気／光変換回路からの光信号のレベルが前記基準レベルよりも低いことを示す値をとることが、予め定められた所定回数、連続して検出された場合、前記電気／光変換回路の発光レベル低下故障と判定し、前記電気／光変換回路への電源供給を固定的に停止させる、ことを特徴とする、光回線終端装置の制御方法。
【請求項９】
加入者端末装置側からセンタ装置への上り信号を電気信号で受ける光回線終端装置が、
電気信号の前記上り信号を光信号に変換して出力する電気／光変換回路から出力される光信号のレベルを、レベル比較回路で予め定められた基準レベルと比較し、
電気信号の前記上り信号を検出する信号検出回路での検出信号と、前記レベル比較回路からの比較結果信号の両者の値の組み合せの時間推移から、予め定められた故障状態に該当するものであるか否かを判定し、
前記故障状態を検出すると、前記電気／光変換回路の電源経路に挿入された電源スイッチを固定的に遮断状態とし、前記電気／光変換回路への電源供給を停止し、
前記光回線終端装置は、
前記信号検出回路からの検出信号が前記上り信号の非検出状態を示す値から前記上り信号の検出状態を示す値へ遷移したのち、前記検出信号が前記上り信号の検出状態を示す値をとり、且つ、前記レベル比較回路からの比較結果信号が、前記電気／光変換回路からの光信号のレベルが前記基準レベルよりも高いことを示す値をとる状態が、予め定められた所定時間、連続している場合、前記加入者端末装置の連続発振故障と判定し、
前記電気／光変換回路への電源供給を固定的に停止させる、ことを特徴とする光回線終端装置の制御方法。
【請求項１０】
前記光回線終端装置は、故障状態と判定すると、前記故障状態に対応した表示回路に表示させる、ことを特徴とする請求項７乃至９のいずれか１項に記載の光回線終端装置の制御方法。
【発明の詳細な説明】
【技術分野】
【０００１】
本発明は、光回線終端装置と伝送システムと制御方法に関する。
【背景技術】
【０００２】
図６は、ＨＦＣ（Ｈｙｂｒｉｄ  Ｆｉｂｅｒ  Ｃｏａｘｉａｌ）システムの典型的な構成の一例を説明するための図である。ＨＦＣでは、ＣＡＴＶ（Ｃｏｍｍｕｎｉｔｙ  Ａｎｔｅｎｎａ  ＴｅｌｅＶｉｓｉｏｎ，  Ｃｏｍｍｏｎ  Ａｎｔｅｎｎａ  ＴｅｌｅＶｉｓｉｏｎ，  Ｃａｂｌｅ  ＴｅｌｅＶｉｓｉｏｎ）のセンタ装置（Ｈｅａｄ  Ｅｎｄ）から光ファイバを配線し、ノード光同軸伝送装置から各加入者宅への引き込みには同軸ケーブルを用いる。加入者宅では、例えばＣＡＴＶ放送信号を受けテレビ等で視聴可能な信号への変換等を行うセットトップボックス（ＳＴＢ）８、ＣＡＴＶ回線を用いてコンピュータ等から双方向データ通信を行う機能（例えばブロードバンドインターネット接続）等を提供するケーブルモデム９、あるいは、ＥＭＴＡ（Ｅｍｂｅｄｄｅｄ  Ｍｕｌｔｉｍｅｄｉａ  Ｔｅｒｍｉｎａｌ  Ａｄａｐｔｅｒ：電話機能付きケーブルモデム）１０等の各種端末装置が設置され（加入者宅の上記端末装置の集りを加入者端末装置１４という）、該加入者端末装置１４とセンタ装置１３で双方向通信を行っている。
【０００３】
センタ装置１３は、加入者側のケーブルモデムを終端するＣＭＴＳ（Ｃａｂｌｅ  Ｍｏｄｅｍ  Ｔｅｒｍｉｎａｌ  Ｓｙｓｔｅｍ：ケーブルモデム終端システム）１と、ビデオ（映像）、データ、音声等の電気信号を光信号（下り光信号）に変換する電気光（Ｅ／Ｏ）変換回路２と、下り光信号の多重、上り光信号の分離を行うＷＤＭ（Ｗａｖｅｌｅｎｇｔｈ  Ｄｉｖｉｓｉｏｎ  Ｍｕｌｔｉｐｌｅｘ：波長分割多重）フィルタ３と、上り光信号を電気信号に変換する光電気（Ｏ／Ｅ）変換回路１１を備える。
【０００４】
センタ装置１３から光ファイバ３１を介して伝送された下り光信号は、ノード光同軸伝送装置５にて電気信号に変換され、同軸ケーブル１９でタップオフ７に接続される。このタップオフ７にて分岐・分配され、各加入者宅の加入者端末装置１４への接続（引き込み）が行われる。なお、図６において、４は光接続端子、６は同軸接続端子、１２はＣＭＴＳ１の入力点１２である。
【０００５】
図６において、ノード光同軸伝送装置５は監視制御回路（不図示）を備えている。また、センタ装置１３は監視装置（不図示）を備えている。ノード光同軸伝送装置５の監視制御回路（不図示）とセンタ装置１３の監視装置（不図示）との通信によって、センタ装置１３の監視装置（不図示）は、ノード光同軸伝送装置５の状態を監視することが可能とされている。
【０００６】
また、図６において、ノード光同軸伝送装置５は、電気光変換回路（「上りＥ／Ｏ変換回路」ともいう）（不図示）を備えている。ノード光同軸伝送装置５の上りＥ／Ｏ変換回路の光出力は、上り信号の有無に関わらず、発光状態である。この場合、ノード光同軸伝送装置５の当該上りＥ／Ｏ変換回路（不図示）の発光レベルの検出の一例として、例えば以下のように行なわれる。
【０００７】
センタ装置１３側の監視装置（不図示）でノード光同軸伝送装置５の当該上りＥ／Ｏ変換回路（不図示）の発光レベルに関する情報を収集し、ノード光同軸伝送装置５の上りＥ／Ｏ変換回路（不図示）の故障等の異常を検出する。
【０００８】
次に、図６の構成において、加入者端末装置１４からの上り信号にノイズが含まれる場合について説明する。加入者端末装置１４からの上り信号にノイズとしては、加入者端末装置１４からのノイズのほか、タップオフ７の分配器、分岐器等で発生したノイズ等も含まれる。
【０００９】
図６において、ノード光同軸伝送装置５からセンタ装置１３に送信される上り信号に、加入者端末装置１４からのノイズが重畳された場合、センタ装置１３のＣＭＴＳ１の入力点１２には、各加入者端末装置１４で発生したノイズがそのまま到達する。センタ装置１３のＣＭＴＳ１の入力点１２では、ノード光同軸伝送装置５を介して接続されている同一セル内の複数の加入者端末装置１４あるいはタップオフ７の分配器、分岐器等で発生したノイズが加算される。
【００１０】
その結果、ＣＭＴＳ１の入力点１２において、上り流合雑音（Ｉｎｇｒｅｓｓ  ｎｏｉｓｅ：上り方向のノイズが集まってくること）のレベルが上昇し、ＳＮ（Ｓｉｇｎａｌ  ｔｏ  Ｎｏｉｓｅ  ｒａｔｉｏ）比が劣化すると、各加入者端末装置１４とセンタ装置１３の間のデータ通信が正常に実行できなくなる、という事態も生じる。
【００１１】
図７は、ＲＦｏＧ（ＲＦ  ｏｖｅｒ  Ｇｌａｓｓ）システムの典型的な構成の一例を説明するための図である。図７に示すように、ＲＦｏＧシステムでは、図６を参照して説明したＨＦＣシステムで構成された既存のセンタ装置１３や加入者端末装置１４を変更することなく利用することができる。センタ装置１３からの光ファイバ３１は光スプリッタ１５で複数に分岐され、各加入者ごとの光回路終端装置１７まで光ファイバ３２で光伝送される。光回路終端装置１７では、光・電気変換（Ｏ／Ｅ変換）、電気・光変換（Ｅ／Ｏ変換）が行われる。光回路終端装置１７は、同軸ケーブル１９にて加入者端末装置１４に接続される。なお、図７のシステムは、後述する本発明の実施形態の光回線終端装置が適用されるシステムでもある。
【００１２】
図８は、図７の光回線終端装置１７の構成の一例（プロトタイプ）を説明するための図である。図８を参照すると、光回線終端装置１７において、下り光信号の分離、上り光信号の多重を行うＷＤＭフィルタ２０からの下り光信号は、光電気変換（Ｏ／Ｅ）回路（フォトダイオード：ＰＤ）２１で電気信号に変換され、下り増幅回路（ＡＭＰ）２２、高域通過フィルタ（ＨＰＦ：Ｈｉｇｈ  Ｐａｓｓ  Ｆｉｌｔｅｒ）２３を介して、同軸接続端子１８に接続される。また、低域通過フィルタ（ＬＰＦ：Ｌｏｗ  Ｐａｓｓ  Ｆｉｌｔｅｒ）２４、分岐回路（方向性結合器）２５、上り増幅回路２７、上り電気光変換（Ｅ／Ｏ）回路（レーザダイオード：ＬＤ）２８、電源回路２９、上りＲＦ信号検出回路２６を備えている。同軸接続端子１８から入力された加入者端末装置の上り信号（ＲＦ信号）は、ＬＰＦ２４を介して、低域成分が、分岐回路２５に入力される。分岐回路２５は、ＬＰＦ２４から入力した上り入力信号を、上り増幅回路２７側に通過させると共に、その一部を分岐させて、上りＲＦ信号検出回路２６に入力する。上り増幅回路２７で増幅された信号は、上りＥ／Ｏ変換回路２８に入力されて光信号に変換される。上りＥ／Ｏ変換回路２８からの光出力信号は、ＷＤＭフィルタ２０へ入力され光接続端子１６を介してセンタ装置１３に入力される。
【００１３】
上りＲＦ信号検出回路２６は、センタ装置１３に届く上り流合雑音を低減するために設けられている。上りＲＦ信号検出回路２６は、ＬＰＦ２４からの出力信号（上り信号）を分岐回路２５で分岐した信号を入力とし、検出信号を制御信号として上りＥ／Ｏ変換回路２８に供給する。上り信号検出回路２６は、加入者端末装置１４から出力された上り信号（上りＲＦ信号のうちＬＰＦ２４を通過した低域周波数成分）を検出したときに、上りＥ／Ｏ変換回路２８のレーザダイオードを発光させる。つまり、上り信号（ＲＦ信号）を出力した加入者端末装置１４のノイズだけが、上りＥ／Ｏ変換回路２８のレーザダイオードを介して光信号にてセンタ装置１３に届く。一方、上り信号（ＲＦ信号）を出力していない加入者端末装置１４に接続する光回線終端装置１７においては、上りＲＦ信号検出回路２６は、上りＥ／Ｏ変換回路２８のレーザダイオードが発光しないように制御する。すなわち、上り信号（ＲＦ信号）を出力していない加入者端末装置１４からはセンタ装置１３（のＣＭＴＳ１の入力点１２）にノイズは届かない。
【００１４】
この結果、図７において、光回線終端装置１７を図８の構成とすることで、センタ装置１３は、同一セル内の複数の加入者端末装置１４からのノイズの影響を受け難い。したがって、センタ装置１３と加入者端末装置１４間のデータ通信を正常に実行することができる。
【００１５】
前述したように、図８の光回線終端装置１７において、上り信号検出回路２６は、加入者端末装置１４から出力された上り信号（ＲＦ信号）を検出したときにだけ、上りＥ／Ｏ変換回路２８のレーザダイオードを発光させる制御を行っている。
【００１６】
しかしながら、各加入者端末装置１４から出力される上り信号（ＲＦ信号）の送出時間の周期は、不定であり、また上り信号（ＲＦ信号）の送出時間も異なっている。
【００１７】
このため、図８の光回線終端装置１７において、上りＥ／Ｏ変換回路２８のレーザダイオードは、不定の周期で、ＯＮ（オン：発光）／ＯＦＦ（オフ：発光停止）を繰り返すことになる。この場合、上りＥ／Ｏ変換回路２８のレーザダイオードが常時発光している構成（図６を参照して説明した構成）と比較して、センタ装置１３の監視回路（不図示）での発光レベルの検出は、容易ではない。
【００１８】
なお、特許文献１には、端末装置からの上り信号を、周波数若しくは信号形態が異なる第２上り信号に変換してセンタ装置側に出力する信号変換装置が、上り信号を第２上り信号に変換する信号変換手段と、前記信号変換手段に入力される上り信号若しくは信号変換手段から出力される第２上り信号を増幅する増幅手段と、端末装置から出力された上り信号を検出する上り信号検出手段と、前記上り信号検出手段で上り信号が検出されない時間が、端末装置がデータ送信を行う時間よりも長い設定時間に達すると、増幅手段の動作を停止させ、増幅手段の動作停止時に、上り信号検出手段で上り信号が検出されると、増幅手段の動作を再開させる制御手段を備えた構成が開示されている。特許文献１では、前記信号変換手段は、局部発振手段で端末装置からの上り信号（電気信号）をアップコンバートするか、Ｅ／Ｏ変換回路で光に変換する。特許公報１は、端末装置から上り信号が出力されていないときに上り増幅回路の動作を制限して、消費電力を抑制すること目的としたものである。しかしながら、特許文献１には、不連続に発光する上りＥ／Ｏ変換回路（レーザダイオード）の故障を検出するための構成は開示されていない。また、端末装置から上り信号が連続送信されたとき、信号変換手段（Ｅ／Ｏ変換回路）のレーザダイオードは、発光状態を維持することになる。特許文献１では、不特定の加入者において、上りＥ／Ｏ変換回路（レーザダイオード）が故障した場合、同一セルの加入者のサービスに妨害を与えることになる。
【００１９】
特許文献２には、加入者光終端装置（ＯＮＵ）等の光送信器において、光送信器内部の故障により、本来光信号が出力されない期間に光信号が出力された場合に、該異常発光を自動的に検出し、発光出力を停止させる常時発光防止装置が開示されている。特許文献２では、光信号を出力する発光素子の光出力を光検出素子でモニタし、光検出素子で検出した発光検出信号と、発光素子への駆動信号を比較し、両者の一致判定を行う一致判定回路を備え、一致判定回路で不一致が検出されたときに、発光素子の発光を停止させる手段を備えている。
【００２０】
特許文献３には、ＨＦＣを用いたＣＡＴＶシステムの局側装置（センタ装置）の一例として、加入者毎に設けられる複数の光受信部、複数の信号分離部（データ通信用信号とそれ以外に分離）と、複数の信号分離部からの複数のデータ通信用信号を合波する合波部と、復調部と、ネットワーク終端部を備えた構成が開示されている。特許文献３では、それぞれの端末装置から複数の光伝送システムで伝送された別々の光信号を別々に電気信号に変換し変換後の電気信号を合波しているため、ある光伝送システムで雑音が生じた場合でも、生じた雑音が他の光伝送システムの通信に影響を与える、という課題に対して、上り系において、上り信号が存在しないために、ある光伝送システムで雑音が生じた場合でも、生じた雑音が他の光伝送システムに影響を与えないようにしたＣＡＴＶシステム用上り伝送システムが開示されている。
【先行技術文献】
【特許文献】
【００２１】
【特許文献１】特開２０１０−２５９０６７号公報
【特許文献２】特開２００６−１９７４４７号公報
【特許文献３】特開２００４−４８７０５号公報
【発明の開示】
【発明が解決しようとする課題】
【００２２】
以下に、本願発明者による関連技術の分析結果を与える
【００２３】
問題点１：  プロトタイプ例として説明した図８の光回線終端装置１７において、例えば上りＥ／Ｏ変換回路２８のレーザダイオードが連続発光状態で故障した場合、上りＥ／Ｏ変換回路２８が故障した光回線終端装置１７が属するセルと同一セル内の全加入者へのサービスに影響を与える。
【００２４】
問題点２：  図８の光回線終端装置１７において、上りＥ／Ｏ変換回路２８のレーザダイオードが発光レベル低下状態で故障した場合、発光レベルの低下状態に至るまでの過程において、発光が不安定状態になる。その結果、上りＥ／Ｏ変換回路２８が故障した光回線終端装置１７が属するセルと同一セル内の全加入者へのサービスに影響を与える。
【００２５】
問題点３：  加入者端末装置の上り信号には不連続なバースト信号が入力される。図７の加入者端末装置１４の上り信号が連続発振状態で故障したとき、図８の光回線終端装置１７において、上りＥ／Ｏ変換回路２８のレーザダイオードが連続発光状態に至る。その結果、当該連続発振状態の加入者端末装置１４が接続する光回線終端装置１７が属するセルと同一セル内の全加入者へのサービスに影響を与える。
【００２６】
なお、上記問題点１乃至３の故障はいずれも、一般に、まれにしか発生しない故障ではあるが、故障発生時の影響は甚大である。そのため、該故障等への対策が必要である。
【００２７】
問題点４：  図８の光回線終端装置１７において、例えば上記問題点１乃至３のいずれかの故障が発生した場合、例えば保守員が当該光回線終端装置１７の設置場所で故障を調査する際に、故障をただちに特定できないか、特定が困難である場合がある。
【００２８】
したがって、本発明の目的は、上記問題点１乃至４の少なくとも１つを解消する装置、システム、方法を提供することにある。
【００２９】
本発明は、上記目的を達成するとともに、センタ装置での監視制御装置を不要とし、コスト低減を図る装置、システム、方法を提供することも目的の１つとしている。
【課題を解決するための手段】
【００３０】
本発明によれば、加入者端末装置側からセンタ装置への上り信号を電気信号で受け光信号に変換して出力する電気／光変換回路と、
電気信号の前記上り信号を検出する信号検出回路と、
前記電気／光変換回路から出力される光信号のレベルを予め定められた基準レベルと比較するレベル比較部と、
前記信号検出回路からの検出信号と、前記レベル比較部からの比較結果信号とを入力し、前記検出信号及び前記比較結果信号の両者の値の組み合せの時間推移から、予め定められた故障状態に該当するものであるか否かを判定する判定回路と、
前記判定回路での故障の判定結果に応答して、前記電気／光変換回路の電源経路に挿入された電源スイッチを固定的に遮断状態とし、前記電気／光変換回路への電源供給を停止する電源制御回路と、を備えた光回線終端装置が提供される。
【００３１】
本発明によれば、前記光回線終端装置と、前記光回線終端装置と光信号伝送手段を介して接続されるセンタ装置、及び／又は、前記光回線終端装置に電気伝送手段で接続する加入者端末装置を備えた伝送システムが提供される。
【００３２】
本発明によれば、加入者端末装置側からセンタ装置への上り信号を電気信号で受ける光回線終端装置が、電気信号の前記上り信号を光信号に変換して出力する電気／光変換回路から出力される光信号のレベルを、レベル比較回路で予め定められた基準レベルと比較し、
電気信号の前記上り信号を検出する信号検出回路での検出信号と、前記レベル比較回路からの比較結果信号の両者の値の組み合せの時間推移から、予め定められた故障状態に該当するものであるか否かを判定し、
前記故障状態を検出すると、前記電気／光変換回路の電源経路に挿入された電源スイッチを固定的に遮断状態とし、前記電気／光変換回路への電源供給を停止する、光回線終端装置の制御方法が提供される。
【発明の効果】
【００３３】
本発明によれば、上記問題点１乃至４の少なくとも１つを解消し、さらに、センタ装置での監視制御装置を不要とし、コスト低減を図ることを可能としている。
【図面の簡単な説明】
【００３４】
【図１】本発明の例示的な一実施形態の光回線終端装置を示す図である。
【図２】本発明の例示的な一実施形態の光回線終端装置を示す図である。
【図３】図２の各部における動作を示す連続発光故障検出の波形図である。
【図４】図２の各部における動作を示す発光レベル低下故障検出の波形図である。
【図５】図２の各部における動作を示す加入者端末装置故障検出の波形図である。
【図６】ＨＦＣシステムの一例を説明するための図である。
【図７】ＲＦｏＧシステムの一例を説明するための図である。
【図８】図７の光回線終端装置の一例（プロトタイプ）を説明するための図である。
【００３５】
本願発明者達は、上記問題点を解消すべく鋭意検討した結果、上記問題点１、２については、当該故障発生時、光回線終端装置において、上り信号（ＲＦ信号）の検出の有無に関わらず、上りＥ／Ｏ変換回路の発光の遮断を固定化する手段が設けられていない、ことによるものと知見した。
【００３６】
また上記問題点３は、加入者端末装置側の上り信号の連続発振状態の故障に対して、光回線終端装置において、上りＥ／Ｏ変換回路の発光の遮断を固定化する手段が設けられていない、ことによるものと知見した。
【００３７】
上記問題点４は、上記問題点１乃至３の故障（上りＥ／Ｏ変換回路の連続発光故障、発光レベル低下故障、あるいは、加入者端末装置の故障）を判別する手段を具備していない、ことによるものと知見した。
【００３８】
本発明の１つの側面によれば、センタ装置側での光回線終端装置の上りＥ／Ｏ変換回路の発光状態等の監視制御等を不要としている。
【００３９】
本発明の別の側面によれば、故障の種別を判定し、故障の種別等を出力することで、保守員等による故障の特定を不要としている。光回線終端装置、又は、加入者端末装置の故障が、光回線終端装置が属するセルと同一セルの加入者のサービスに影響を与えることを回避可能としている。
【００４０】
本発明のいくつかの形態において、光回線終端装置（図７の光回線終端装置１７に対応する）は、加入者端末装置側からセンタ装置への上り信号を電気信号で受け光信号に変換して出力する電気／光変換回路（図１、図２の上りＥ／Ｏ変換回路２８）と、電気信号の前記上り信号を検出する信号検出回路（図１、図２の２６）と、前記電気／光変換回路（２８）から出力される光信号のレベルを予め定められた基準レベル（図１、図２のＴ３）と比較するレベル比較回路（４１Ａ）と、前記信号検出回路（２６）からの検出信号（図１、図２のＴ１）と、前記レベル比較回路（４１Ａ）からの比較結果信号（図１、図２のＴ４）を入力し、前記検出信号及び前記比較結果信号の両者の値（論理値）の組み合せの時間推移から、予め定められた故障状態に該当するものであるかを判定する判定回路（４２）と、前記判定回路（４２）で、前記故障状態を検出すると、前記電気／光変換回路の電源経路に挿入された電源スイッチ（図１、図２の３０）を固定的に遮断状態とし、前記電気／光変換回路（２８）への電源供給を停止する電源制御回路（図１、図２の電源スイッチ制御回路４３）を備える。
【００４１】
本発明のいくつかの形態において、前記判定回路（４２）は、前記信号検出回路（２６）からの検出信号（Ｔ１）の、前記上り信号の検出状態（ＯＮ状態）を示す値から前記上り信号の非検出状態（ＯＦＦ状態）を示す値への遷移に対して、前記遷移から予め定められた所定時間、前記レベル比較回路（４１Ａ）からの比較結果信号（Ｔ４）が、前記電気／光変換回路（２８）からの光信号のレベルが前記基準レベル（Ｔ３）よりも高いことを示す値（発光ＯＮ状態）をとることが、予め定められた所定回数、連続して検出された場合、前記電気／光変換回路の連続発光故障と判定する。
【００４２】
本発明のいくつかの形態において、前記判定回路（４２）は、前記信号検出回路（２６）からの検出信号（Ｔ１）の、前記上り信号の非検出状態（ＯＦＦ状態）を示す値から、前記上り信号の検出状態（ＯＮ状態）を示す値への遷移に対して、前記遷移から予め定められた所定時間、前記レベル比較回路（４１Ａ）からの比較結果信号（Ｔ４）が、前記電気／光変換回路（２８）からの光信号のレベルが前記基準レベル（Ｔ３）よりも低いことを示す値をとることが、予め定められた所定回数、連続して検出された場合、前記電気／光変換回路（２８）の発光レベル低下故障と判定する。
【００４３】
本発明のいくつかの形態において、前記判定回路（４２）は、前記信号検出回路（２６）からの検出信号（Ｔ１）が前記上り信号の非検出状態を示す値から前記上り信号の検出状態を示す値へ遷移したのち、前記検出信号（Ｔ１）が前記上り信号の検出状態（ＯＮ状態）を示す値をとり、且つ、前記レベル比較回路（４１Ａ）からの比較結果信号（Ｔ４）が、前記電気／光変換回路（２８）からの光信号のレベルが前記基準レベル（Ｔ３）よりも高いことを示す値（発光ＯＮ状態）をとる状態が、予め定められた所定時間、連続している場合、前記加入者端末装置の連続発振故障と判定する。
【００４４】
本発明の形態の一つにおいて、前記故障状態に対応して表示する少なくとも１つの表示回路（図２の５１、５２、５３）を備え、前記判定回路（図２の４２）は、前記故障状態と判定したとき、対応する前記表示装置に表示させる。
【００４５】
本発明のいくつかの形態によれば、前記電気／光変換回路（上りＥ／Ｏ変換回路２８）の故障検出と、加入者端末装置の連続発振状態を検出した場合、光回線終端装置内部の電源供給を停止させることにより、前記電気／光変換回路（２８）の光出力を遮断している。このため、光回線終端装置の前記電気／光変換回路（上りＥ／Ｏ変換回路２８）および加入者端末装置が故障した場合でも、故障した光回線終端装置の属するセルと同一セル内の加入者へのサービスに影響を与えることを抑制している。
【００４６】
故障検出と処置対策を、光回線終端装置内で一貫して処理しており、センタ装置での監視制御装置が不要であり、システムのコスト削減を可能としている。
【００４７】
判定回路（４２）において、故障状態を判定すると、光回線終端装置の上りＥ／Ｏ変換回路（２８）の電源供給を固定的に停止させることで、センタ装置との通信が不能になる。このため、例えば加入者からの連絡（通報）等により、故障した光回線終端装置の特定が行われる。この結果、故障した光回線終端装置の特定を容易化している。
【００４８】
さらに、上りＥ／Ｏ変換回路（２８）の連続光出力状態／発光レベル低下故障、あるいは、加入者端末の連続発振故障のいずれであるかを示す表示手段（表示回路）を備えた構成によれば、光回線終端装置の前記電気／光変換回路（上りＥ／Ｏ変換回路２８）あるいは、加入者端末装置の故障原因が特定でき、故障の解析時間を削減することができる。
【００４９】
＜実施形態１＞
図１を参照して、実施形態１について説明する。図１の光回線終端装置は、図７の光回線終端装置１７に対応する。図１（Ａ）を参照すると、同軸接続端子１８から入力された加入者端末装置（図７の１４）からの上り信号（ＲＦ信号）はＬＰＦ２４に入力され、ＬＰＦ２４を通過した上り信号成分は、分岐回路２５を介して、上り増幅回路２７に入力される。分岐回路２５は、ＬＰＦ２４の出力信号をそのまま上り増幅回路２７側に通過させると共に、ＬＰＦ２４の出力信号の一部を分岐させる。分岐回路２５は、方向性結合器から構成される。上り増幅回路２７は上り信号を所望のレベルまで増幅する。上り増幅回路２７の出力信号は上りＥ／Ｏ変換回路２８に入力される。上りＥ／Ｏ変換回路２８は、上り増幅回路２７から入力された上り信号を上り光信号に変換し、ＷＤＭフィルタ２０へ出力する。この結果、上りＥ／Ｏ変換回路２８から出力された上り光信号は、ＷＤＭフィルタ２０及び光接続端子１６を介して、不図示の光スプリッタに入力され、不図示のセンタ装置に出力される。なお、センタ装置、光スプリッタ、加入者端末装置は、図７のセンタ装置１３、光スプリッタ１５、加入者端末装置１４に対応しており、それぞれ同一の構成であるため、説明は省略する。
【００５０】
分岐回路２５により分岐された上り信号は、上りＲＦ信号検出回路２６に入力される。上りＲＦ信号検出回路２６では、分岐回路２５で分岐された上り信号を検波して、検波後の信号レベルが所定のレベル以上か否かを判定することにより、同軸接続端子１８に接続された加入者端末装置（図７の１４）からの上り信号が入力されているか否かを判断する。上りＲＦ信号検出回路２６は、上り信号の検出信号（上りＲＦ信号検出電圧：Ｔ１）を上りＥ／Ｏ変換回路２８に供給し、上り信号が入力されている（ＯＮ状態）と判断すると、上りＥ／Ｏ変換回路２８を発光させ、上り信号を出力させる。一方、上りＲＦ信号検出回路２６は、上りＲＦ信号検出回路２６では、上り信号が入力されていない（ＯＦＦ状態）と判断すると、上りＥ／Ｏ変換回路２８の発光を停止させ、センタ装置への上り信号の送信を遮断する。
【００５１】
図１（Ａ）を参照すると、本実施形態では、図８の構成に加えて、さらに、
・上りＥ／Ｏ変換回路２８の光出力レベルを検出する出力パワーモニタ回路４０と、
・出力パワーモニタ回路４０の出力（パワー）を入力し、出力パワーモニタ回路４０の出力が予め定められた所定のレベル以上（モニタレベル比較電圧：Ｔ３）であるか否かを判断するレベル比較回路４１Ａと、
・レベル比較回路４１Ａから出力された比較結果信号（モニタレベル比較結果出力電圧Ｔ４）と、上りＲＦ信号検出回路２６から出力される検出信号（上りＲＦ信号検出電圧：Ｔ１）を入力し、前記検出信号（上りＲＦ信号検出電圧：Ｔ１）及び前記比較結果信号（モニタレベル比較結果出力電圧Ｔ４）の両者の値（符号、論理値）の組み合せの時間推移から、予め定められた故障状態に該当するものであるか否かを判定し、故障状態と判定した場合に、判定結果信号（判定回路出力電圧：Ｔ６）の値を遮断状態（ＯＦＦ状態）とする判定回路４２と、
・電源回路２９からの上りＥ／Ｏ変換回路２８への電源供給、遮断を切り替える電源スイッチ３０と、
・判定回路４２で故障と判定され、判定結果信号（判定回路出力電圧：Ｔ６）が遮断状態（ＯＦＦ状態）に設定されると、電源スイッチ３０を固定的に遮断（ＯＦＦ）状態とする電源スイッチ制御回路４３と、を備えている。なお、レベル比較回路４１Ａに基準電圧（モニタレベル比較電圧：Ｔ３）を供給する基準電圧源（回路）４１Ｂと、レベル比較回路４１Ａは、レベル比較部４１を構成している。
【００５２】
電源スイッチ制御回路４３は、判定回路４２から遮断信号（Ｔ６）の活性化に応答して、電源スイッチ３０を固定的に遮断（ＯＦＦ）する。電源スイッチ３０が遮断状態（ＯＦＦ）のとき、上りＥ／Ｏ変換回路２８への電源供給は停止され、上り信号のＷＤＭフィルタ２０への出力が停止する。電源スイッチ３０（例えばメカニカルリレー又はリードリレーあるいはソリッドステート（半導体）リレー等からなる）は、電源スイッチ制御回路４３から遮断信号が出力されると、遮断状態に切り替えられ、電源スイッチ制御回路４３からＯＮ状態に設定する信号が出力されるまで、固定的に遮断状態とされる。
【００５３】
図１（Ｂ）は、図１（Ａ）の判定回路４２の構成例を説明するための図である。図１（Ｂ）を参照すると、判定回路４２は、上りＲＦ信号検出回路２６から出力される検出信号（上りＲＦ信号検出電圧：Ｔ１）と、レベル比較回路４１Ａから出力された比較結果信号（モニタレベル比較結果出力電圧：Ｔ４）とを入力し、検出信号（上りＲＦ信号検出電圧：Ｔ１）の値（電圧レベル）と比較結果信号（モニタレベル比較結果出力電圧：Ｔ４）の値（電圧レベル）の関係に基づき、故障検出のために、検出信号の値と比較結果信号の値がどのように時間的に推移するかを判別するためのモニタを行う否かを決定するとともに、判定回路全体の制御を行う制御回路４２Ａと、制御回路４２Ａからの計時開始／停止等の指示を受け、予め設定された所定時間（ｔ）の計時を行い、タイムアウト発生時に、信号（パルス信号）（判定回路内部電圧：Ｔ５）を生成するタイマ４２Ｂと、タイマ４２Ｂでのタイムアウト発生時に出力される信号（Ｔ５）をカウントするカウンタ４２Ｃと、制御回路４２Ａから検出信号と比較結果信号をモニタする指示が出力されている場合に、カウンタ４２Ｃのカウント値を、予め定められた値ｎ（不揮発性メモリ又等に記憶され、判定回路４２内の不図示のレジスタ等に格納保持される）と比較し、カウンタ４２Ｃのカウント値がｎに一致すると、判定結果信号（判定出力電圧：Ｔ６）をＯＦＦ状態に設定する出力制御回路４２Ｄを備えている。なお、タイマ４２Ｂは図示されない装置内のクロック信号（又はその分周信号）を用いて計時する。出力制御回路４２Ｄは、カウンタ４２Ｃのカウント値がｎに達した時点で制御回路４２Ａに通知してカウンタ４２Ｃをリセット（ゼロクリア）するようにしてもよい。出力制御回路４２Ｄは、検出信号及び比較結果信号の時間推移をモニタする指示を受けていない場合には、上記したカウンタ４２Ｃのカウント値とｎとの比較動作、判定結果信号（判定出力電圧：Ｔ６）の設定等は行わない。なお、図１（Ｂ）は、後述する図３のタイミング動作等に対応した構成の一例であり、任意の変形、他の実装等が可能であることは勿論である。
【００５４】
＜実施形態２＞
図２は、実施形態２の構成を示す図である。図２を参照すると、実施形態２では、図１の実施形態１の構成に加えて、それぞれが発光ダイオード等の表示素子を備え、判定回路４２での判定結果を表示する第１乃至第３表示回路５１、５２、５３を備えている。判定回路４２が、上りＥ／Ｏ変換回路２８の故障状態は、連続発光故障であると判定すると、その判定結果を、第１表示回路５１に出力して表示させる。判定回路４２が、上りＥ／Ｏ変換回路２８の故障状態は、発光レベル低下故障と判定すると、その判定結果を第２表示回路５２に出力して表示させる。判定回路４２が、加入者端末装置（図７の１４）の故障と判定すると、その判定結果を第３表示回路５３に出力して表示させる。実施形態２の判定回路４２は、図１（Ｂ）に示した判定回路４２の出力制御回路４２Ｄに、故障状態の種別に応じて、第１乃至第３表示回路５１、５２、５３のうち対応する表示回路に表示される回路（不図示）が追加されている。
【００５５】
次に、実施形態１、２の動作について図３を参照して詳細に説明する。なお、実施形態２と、実施形態１の動作の相違点は、実施形態２では、判定回路４２を故障状態と判定すると、対応する表示回路（図２の５１、５２、５３）に表示させる点である。このため、以下では、図１の実施形態１について説明し、これに実施形態２の動作を補足する。
【００５６】
図３は、実施形態１において連続発光故障検出の動作を説明するための波形図である。図３において、
（Ａ）  Ｔ１：上りＲＦ信号検出電圧は、上りＲＦ信号検出回路２６から出力される検出信号の電圧波形である。
（Ｂ）  Ｔ２：光パワーモニタ電圧は、出力パワーモニタ回路４０の出力信号電圧波形である。
（Ｃ）  Ｔ３：モニタレベル比較電圧（一点鎖線）はレベル比較回路４１Ａで光パワーモニタ電圧Ｔ２と比較される基準電圧（図１（Ａ）の基準電圧源（回路）４１Ｂから出力される基準電圧）である。なお、（Ｃ）の実線の波形はＴ２の波形である。
（Ｄ）  Ｔ４：モニタレベル比較結果出力電圧はレベル比較回路４１Ａの出力信号電圧である。
（Ｅ）  （Ａ）のＴ１と同一波形であり、（Ｆ）の波形Ｔ５と対応させるために（Ｅ）に再掲してある。
（Ｆ）  Ｔ５は、判定回路電圧であり、例えば図１（Ｂ）の判定回路４２に内蔵されるカウンタ（図１（Ｂ）の４２Ｃ）のカウントパルスである。なお、Ｔ５のパルスの下の数字はカウンタのカウント値（カウントパルスの数）に対応する。
（Ｇ）  Ｔ６：判定回路出力電圧は判定回路４２から出力される判定結果信号の電圧である。
（Ｈ）  Ｔ７：上り光出力は上りＥ／Ｏ変換回路２８の光出力である。
【００５７】
通常、上りＥ／Ｏ変換回路２８が正常に動作している条件下では、Ｅ／Ｏ変換回路２８の出力である上り光出力Ｔ７は、上りＲＦ信号検出電圧Ｔ１に連動しながら発光（ＯＮ）と無発光（ＯＦＦ）を繰り返す。
【００５８】
しかし、上りＥ／Ｏ変換回路２８が、連続発光状態で故障すると、上り光出力もＴ７は発光状態（ＯＮ状態）に固定され、発光状態が続く。この結果、故障上りＥ／Ｏ変換回路２８の光回線終端装置が属するセルと同一セル内の加入者全世帯へのサービスに影響を与えることになる。
【００５９】
そこで、本実施形態によれば、出力パワーモニタ電圧Ｔ２を検出し、レベル比較回路４１Ａにおいて、モニタレベル比較電圧Ｔ３と電圧レベルを比較した結果を、モニタレベル比較結果出力電圧Ｔ４として出力する。Ｅ／Ｏ変換回路２８が連続発光状態においては、モニタレベル比較結果出力電圧Ｔ４は、連続的にＯＮ状態（Ｈｉｇｈ電位）となる。
【００６０】
上りＲＦ信号検出回路２６からの上りＲＦ信号検出電圧Ｔ１がＨｉｇｈレベル（ＯＮ状態：上りＲＦ信号検出状態）となると、レベル比較回路４１Ａからのモニタレベル比較結果出力電圧Ｔ４の出力電圧はＨｉｇｈレベル（ＯＮ状態：発光状態）となる。そして、上りＲＦ信号検出電圧Ｔ１がＨｉｇｈレベル（ＯＮ状態：上りＲＦ信号検出状態）からＬｏｗレベル（ＯＦＦ状態：上りＲＦ信号非検出状態）へ立ち下がり、上りＲＦ信号検出電圧Ｔ１がＯＦＦ状態に変化してから、予め定められた所定時間ｔ内に、モニタレベル比較結果出力電圧Ｔ４に変化（ＨｉｇｈからＬｏｗレベルへの変化）がない場合、図１（Ｂ）のタイマ４２Ｂでのタイムアウト発生により、図１（Ｂ）のカウンタ４２Ｃは、タイマ４２Ｂからの出力信号（ワンショットパルス）を受け１つカウントアップする。その結果、図３のＴ５のカウントパルス数（カウンタのカウント値）は「１」となる。すなわち、図１（Ｂ）の制御回路４２Ａは、上りＲＦ信号検出電圧Ｔ１がＨｉｇｈレベル（ＯＮ状態）からＬｏｗレベル（ＯＦＦ状態）への立ち下がりエッジを検出すると、図１（Ｂ）のタイマ４２Ｂでの計時動作を開始させる。タイマ４２Ｂでの計時開始後、タイムアウト発生前（予め定められた所定時間ｔ以内）に、正常時のように、モニタレベル比較結果出力電圧Ｔ４がＨｉｇｈからＬｏｗレベルに変化した場合には、図１（Ｂ）において、タイマ４２Ｂは、制御回路４２Ａによって計時停止の指示を受けリセットされ、カウンタ４２Ｃもリセット（ゼロクリア）される。
【００６１】
さらに、図１（Ｂ）の制御回路４２Ａは、次のサイクルの上りＲＦ信号検出電圧Ｔ１のＯＮ状態（Ｈｉｇｈレベル）からＯＦＦ状態（Ｌｏｗレベル）への立ち下がりエッジを検出すると、タイマ４２Ｂでの計時動作を開始させ、上りＲＦ信号検出電圧Ｔ１がＯＦＦ状態（Ｌｏｗレベル）への変化から、前記所定時間ｔ内に、モニタレベル比較結果出力電圧Ｔ４に変化が無ければ（Ｈｉｇｈレベルのまま変化しない）、図１（Ｂ）のカウンタ４２Ｃで、１つカウントアップする。その結果、図３のＴ５のカウントパルス数（カウント値）は「２」となる。なお、正常時のように、前記所定時間ｔ内に、モニタレベル比較結果出力電圧Ｔ４がＨｉｇｈからＬｏｗに変化すれば、図１（Ｂ）のタイマ４２Ｂでの計時は停止（リセット）され、カウンタ４２Ｃはリセット（クリア）されてカウント値は０となる。
【００６２】
この動作を繰り返すことにより、カウンタ４２Ｃでのカウント値がｎに達したとき（すなわち、上りＲＦ信号検出電圧Ｔ１がＯＦＦ状態（上りＲＦ信号非検出状態）のときに、モニタレベル比較結果出力電圧Ｔ４がＯＮ状態（発光状態）がｎ回連続して発生したことが検出されたとき）、判定回路４２の出力制御回路４２Ｄ（図１（Ｂ））は、判定結果信号（判定回路出力電圧Ｔ６）をＯＦＦ状態（例えばＬｏｗレベル）にする。判定結果信号（判定回路出力電圧Ｔ６）は、電源スイッチ制御回路４３に入力される。判定結果信号（判定回路出力電圧Ｔ６）のＯＦＦ状態（Ｌｏｗレベル）を受け、電源スイッチ制御回路４３は、電源スイッチ３０をＯＦＦ（遮断状態）固定とする。
【００６３】
図２の実施形態２では、判定回路４２は、上りＥ／Ｏ変換回路２８の連続発光故障と判定した場合、判定結果を、第１表示回路５１に出力して表示させる。
【００６４】
図４は、実施形態１の発光レベル低下故障検出の動作を説明するための波形図である。図４に示される信号（Ａ）〜（Ｈ）は、図３の信号（Ａ）〜（Ｈ）と同様である。以下では、図１の実施形態１について説明し、これに実施形態２の動作を補足する。
【００６５】
図３と同様に、Ｅ／Ｏ変換回路２８が正常に動作している条件下では、上り光出力Ｔ７は上りＲＦ信号検出電圧Ｔ１に連動しながら発光（ＯＮ）と無発光（ＯＦＦ）を繰り返す。しかし、Ｅ／Ｏ変換回路２８が発光レベル低下状態で故障すると、上り光出力も不安定状態のままの発光状態が続く。この結果、故障の上りＥ／Ｏ変換回路２８の光回線終端装置が属するセルと同一セル内の加入者全世帯へのサービスに影響を与える。
【００６６】
そこで、実施形態２では、出力パワーモニタ電圧Ｔ２を検出し、レベル比較回路４１Ａにて、モニタレベル比較電圧Ｔ３と電圧比較した結果を、モニタレベル比較結果出力電圧Ｔ４として出力する。上りＥ／Ｏ変換回路２８が発光レベル低下の故障状態においては、レベル比較回路４１Ａから出力されるモニタレベル比較結果出力電圧Ｔ４は、連続的にＯＦＦ状態（例えばＬｏｗレベル）となる。
【００６７】
判定回路４２の制御回路４２Ａ（図１（Ｂ））では、上りＲＦ信号検出電圧Ｔ１のＯＦＦ状態（上りＲＦ信号非検出状態：Ｌｏｗレベル）からＯＮ状態（上りＲＦ信号非検出状態：Ｈｉｇｈレベル）への立ち上がりエッジを検出すると、タイマ４２Ｂでの計時動作を開始させ、上りＲＦ信号検出電圧Ｔ１がＯＮ（Ｈｉｇｈ）の状態に変化してから予め定められた所定時間ｔ以内にモニタレベル比較結果出力電圧Ｔ４に変化（ＬｏｗからＨｉｇｈへの変化）がない場合（すなわち、図１（Ｂ）のタイマ４２Ｂでタイムアウト発生時）、カウンタ４２Ｃ（図１（Ｂ））のカウンタ値を１つカウントアップする。
【００６８】
さらに、判定回路４２の制御回路４２Ａ（図１（Ｂ））は、次のサイクルの上りＲＦ信号検出電圧Ｔ１のＯＦＦ状態（上りＲＦ信号非検出状態：Ｌｏｗレベル）からＯＮ状態（上りＲＦ信号非検出状態：Ｈｉｇｈレベル）への立ち上がりエッジを検出すると、タイマ４２Ｂでの計時動作を開始させ、上りＲＦ信号検出電圧Ｔ１の信号がＯＮ状態に変化してから前記所定時間ｔ内にモニタレベル比較結果出力電圧Ｔ４に変化（ＬｏｗからＨｉｇｈへの変化）がなければ（すなわち図１（Ｂ）のタイマ４２Ｂでタイムアウト発生時）、カウンタ（図１（Ｂ）の４２Ｃ）のカウント値を１つカウントアップ動作する。
【００６９】
この動作を繰り返すことにより、カウンタ（図１（Ｂ）の４２Ｃ）でのカウント数がｎ回（ｎは予め定められた所定の正整数）に達したとき、判定回路４２の出力制御回路４２Ｄ（図１（Ｂ））は、判定回路出力電圧Ｔ６をＯＦＦ状態（例えばＬｏｗ電位）にする。判定回路出力電圧Ｔ６は、電源スイッチ制御回路４３に入力される。判定回路出力電圧Ｔ６のＯＦＦ状態（例えばＬｏｗ電位）を受け、電源スイッチ制御回路４３は電源スイッチ３０をＯＦＦ固定とする。
【００７０】
図２の実施形態２では、判定回路４２は、上りＥ／Ｏ変換回路２８の発光レベル低下故障と判定した場合、判定結果を、第２表示回路５２に表示させる。
【００７１】
図５は、加入者端末装置の故障検出の動作を示す波形図である。図５に示される信号（Ａ）〜（Ｈ）は、図３の信号（Ａ）〜（Ｈ）と同様である。ただし、図５の（Ｆ）のＴ５：判定回路電圧は、予め定められた所定時間ｔ’分計時した時点でＯＮ状態（Ｈｉｇｈレベル）とされる。以下では、図１の実施形態１について説明し、これに実施形態２の動作を補足する。図５を参照すると、図３、図４と同様、上りＥ／Ｏ変換回路２８が正常に動作している条件下では、上り光出力Ｔ７は、上りＲＦ信号検出電圧Ｔ１に連動しながら発光（ＯＮ）と無発光（ＯＦＦ）を繰り返す。
【００７２】
しかし、加入者端末装置（図７の１４）が故障して例えば連続発振状態に至ると、上り光出力Ｔ７もＯＮ状態（発光状態）のまま発光状態が固定的に続くことになる。加入者端末装置（図７の１４）が接続する光回線終端装置（図７の１７）が属するセルと同一セル内の加入者全世帯へのサービスに影響を与える。
【００７３】
そこで、実施形態３では、出力パワーモニタ電圧Ｔ２を検出し、モニタレベル比較電圧Ｔ３の基準レベル（Ｔ３）にて、レベル比較回路４１Ａで電圧レベルを比較した結果を、モニタレベル比較結果出力電圧Ｔ４として出力する。加入者端末装置（図７の１４）に接続される同軸接続端子１８の入力が連続発振状態においては、モニタレベル比較結果出力電圧Ｔ４は連続的にＯＮ状態となる。
【００７４】
判定回路４２は、上りＲＦ信号検出電圧Ｔ１の連続ＯＮ状態（上りＲＦ信号の連続発振により、上りＲＦ信号検出電圧Ｔ１はＤＣ的にＨｉｇｈレベルとなる）、モニタレベル比較結果出力電圧Ｔ４の連続ＯＮ状態を検出すると、判定回路出力電圧Ｔ６をＯＦＦ（Ｌｏｗレベル）にする。より詳細には、判定回路４２の制御回路４２Ａ（図１（Ｂ））は、例えば上りＲＦ信号検出電圧Ｔ１のＯＦＦ状態（上りＲＦ信号非検出状態：Ｌｏｗ）からＯＮ状態（上りＲＦ信号検出状態：Ｈｉｇｈ）へ立ち上りエッジを検出すると、タイマ４２Ｂ（図１（Ｂ））での計時動作を開始させ、予め定められた所定時間ｔ’の間、上りＲＦ信号検出電圧Ｔ１が連続的にＯＮ状態（上りＲＦ信号検出状態：Ｈｉｇｈ）を維持し、モニタレベル比較結果出力電圧Ｔ４が、連続的にＯＮ状態のままである場合、タイムアウト時のタイマ４２Ｂ（図１（Ｂ））からの出力信号（判定回路電圧：Ｔ５）のＯＦＦ（Ｌｏｗレベル）からＯＮ状態（Ｈｉｇｈレベル）ヘの変化に基づき、出力制御回路４２Ｄ（図１（Ｂ））は判定回路出力電圧Ｔ６をＯＦＦ（Ｌｏｗレベル）にする。判定回路出力電圧Ｔ６は、電源スイッチ制御回路４３に入力される。判定回路出力電圧Ｔ６のＯＦＦ状態（例えばＬｏｗ電位）を受け、電源スイッチ制御回路４３は電源スイッチ３０をＯＦＦ固定とする。なお、図１（Ｂ）の判定回路４２において、図５の所定時間ｔ’をタイマ４２Ｂで計時する例（タイマ４２でのタイムアウト時間は可変に設定可能）を説明をしたが、図５の所定時間ｔ’をタイマとして、図３、図４のタイマ４２Ｂとは別のタイマを備えた構成としてもよい。
【００７５】
図２の第２の実施形態では、判定回路４２は、加入者端末装置の検出（連続発振故障）と判定した場合、判定結果を第３表示回路５３に出力して表示させる。
【００７６】
なお、上記各実施形態において、電源スイッチ制御回路４３からの制御を受ける電源スイッチは、上りＥ／Ｏ変換回路２８の電源回路を固定的にＯＦＦする電源スイッチ３０に制限されるものでない。電源スイッチ制御回路４３は、判定回路４２での故障（上りＥ／Ｏ変換回路２８の連続発光故障／発光レベル低下故障、加入者端末装置の連続発振故障の少なくとも１つ）の判定結果に基づき、電源スイッチ制御回路４３は、上りＥ／Ｏ変換回路２８とともに、例えば上り増幅回路２７の電源供給を固定的にＯＦＦするようにしてもよい。この場合、上り増幅回路２７とその電源端子間に、電源スイッチ制御回路４３によってＯＮからＯＦＦに設定される別の電源スイッチ（不図示）が設けられる。さらに、加入者へ早期に故障を通知するため、下り増幅回路２２の電源回路を固定的にＯＦＦするようにしてもよい。この場合、上り増幅回路２７とその電源端子間に、電源スイッチ制御回路４３によってＯＮからＯＦＦに設定されるさらに別の電源スイッチ（不図示）が設けられる。
【００７７】
また、図３乃至図５において、論理信号の２値をＯＮ状態、ＯＦＦ状態とし、レベルの高低と波形の立ち上がり遷移、立ち下がり遷移等の説明の都合から、ＯＮ状態、ＯＦＦ状態をＨｉｇｈレベル、Ｌｏｗレベルとしたが、かかる対応に制限されるものでないことは勿論である。
【００７８】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００７９】
１    ＣＭＴＳ（ケーブルモデムターミナルシステム）
２    下りＥ／Ｏ変換回路
３    ＷＤＭフィルタ
４    光接続端子
５    ノード光同軸伝送装置
６    同軸接続端子
７    タップオフ
８    ＳＴＢ（セットトップボックス）
９    ケーブルモデム
１０  ＥＭＴＡ（電話機能付きケーブルモデム）
１１  上りＯ／Ｅ変換回路
１２  ＣＭＴＳ入力点
１３  センタ装置
１４  加入者端末装置
１５  光スプリッタ
１６  光接続端子
１７  光回線終端装置
１８  同軸接続端子
１９  同軸ケーブル
２０  ＷＤＭフィルタ
２１  下りＯ／Ｅ変換回路（フォトダイオード）
２２  下り増幅回路
２３  ＨＰＦ（ハイパスフィルタ）
２４  ＬＰＦ（ローパスフィルタ）
２５  分岐回路
２６  上りＲＦ信号検出回路
２７  上り増幅回路
２８  上りＥ／Ｏ変換回路（レーザダイオード）
２９  電源回路
３０  上りＥ／Ｏ変換回路電源スイッチ
３１、３２  光ファイバ
４０  出力パワーモニタ回路
４１  レベル比較部
４１Ａ  レベル比較回路
４１Ｂ  基準電圧源（回路）
４２  判定回路
４２Ａ  制御回路
４２Ｂ  タイマ
４２Ｃ  カウンタ
４２Ｄ  出力制御回路
４３  電源スイッチ制御回路
５１  第１表示回路
５２  第２表示回路
５３  第３表示回路
【図１】
0006032728.tif 000002
【図２】
0006032728.tif 000003
【図３】
0006032728.tif 000004
【図４】
0006032728.tif 000005
【図５】
0006032728.tif 000006
【図６】
0006032728.tif 000007
【図７】
0006032728.tif 000008
【図８】
0006032728.tif 000009